(57)【要約】【課題】広告手法を多様化して販促効果を十分に確保することが可能な情報処理装置、情報処理方法及びプログラムを提供する。【解決手段】通信当事者の一方（通信当事者Ａ）の位置情報を取得する取得手段（制御部２１）と、取得手段により取得された位置情報に基づいて広告を抽出する抽出手段（制御部２１）と、通信当事者の他方（通信当事者Ｂ）の情報端末（相手ユーザ端末５０）を特定する特定手段（制御部２１）と、特定手段により特定された他方の情報端末に、抽出手段により抽出された広告を出力させる広告出力手段（制御部２１）と、を備える。【選択図】図１
2018045603.tif 000002
【特許請求の範囲】
【請求項１】
通信当事者の一方の位置情報を取得する取得手段と、
前記取得手段により取得された位置情報に基づいて広告を抽出する抽出手段と、
前記通信当事者の他方の情報端末を特定する特定手段と、
前記特定手段により特定された他方の情報端末に、前記抽出手段により抽出された広告を出力させる広告出力手段と、
を備えることを特徴とする情報処理装置。
【請求項２】
前記取得手段は、移動中の前記一方の位置情報を取得することを特徴とする請求項１に記載の情報処理装置。
【請求項３】
目的地までの経路探索を行い、探索結果に応じて誘導経路を案内するナビゲーション処理を実行する経路案内手段を備え、  
前記取得手段は、前記ナビゲーション処理により移動中の前記一方の位置情報を取得することを特徴とする請求項２に記載の情報処理装置。
【請求項４】
前記抽出手段は、前記取得手段により取得された位置情報に係る広告を抽出することを特徴とする請求項１〜３のいずれか一項に記載の情報処理装置。
【請求項５】
前記取得手段により取得された位置情報に基づいて、前記目的地までの移動予想時間を算出する算出手段を備え、
前記抽出手段は、前記算出手段により算出された移動予想時間に応じた飲食物宅配の広告を抽出することを特徴とする請求項３に記載の情報処理装置。
【請求項６】
前記取得手段は、更に、前記他方の位置情報を取得し、
前記取得手段により取得された前記一方及び前記他方の位置情報に基づいて特定される前記一方の位置及び前記他方の位置のいずれか一又は組み合わせと、前記広告出力手段により出力された広告と、の対応関係毎に、前記広告の評価値を集計する集計手段を備えることを特徴とする請求項１〜５のいずれか一項に記載の情報処理装置。
【請求項７】
情報処理装置の情報処理方法であって、
通信当事者の一方の位置情報を取得するステップと、
前記取得された位置情報に基づいて広告を抽出するステップと、
前記通信当事者の他方の情報端末を特定するステップと、
前記特定された他方の情報端末に、前記抽出された広告を出力させるステップと、
を含む情報処理方法。
【請求項８】
コンピュータを、
通信当事者の一方の位置情報を取得する取得手段、
前記取得手段により取得された位置情報に基づいて広告を抽出する抽出手段、
前記通信当事者の他方の情報端末を特定する特定手段、
前記特定手段により特定された他方の情報端末に、前記抽出手段により抽出された広告を出力させる広告出力手段、
として機能させるためのプログラム。
【発明の詳細な説明】
【技術分野】
【０００１】
本発明は、情報処理装置、情報処理方法及びプログラムに関する。
【背景技術】
【０００２】
従来、目的地までの経路探索を行い、探索結果に応じて誘導経路を案内するナビゲーション機能を、車両に搭載された端末装置や徒歩移動中のユーザが所持する端末装置と協働して実現する情報処理装置が提案されている。近年では、上記のナビゲーション機能を実現する情報処理装置の分野において、製品代で費用を回収する専用機とは別に、汎用的情報機器であるスマートデバイス（スマートフォン、タブレットＰＣなど）等に上記のナビゲーション機能を実現するためのアプリケーションを実装したものが知られている。
【０００３】
汎用的情報機器を利用したナビゲーション技術を無料又は低コストで提供しようとする場合、採算化（マネタイズ）の一環として、汎用的情報機器から音声広告を出力させる方法が考えられる。
音声広告の一例としては、例えば、電話の発信者に音声広告を提供し、当該音声広告の提供者から広告費を徴収することで、無料通話を実現可能とした技術が開示されている（例えば、特許文献１参照）。
【先行技術文献】
【特許文献】
【０００４】
【特許文献１】特開２０００−２３１２７号公報
【発明の概要】
【発明が解決しようとする課題】
【０００５】
しかしながら、上記特許文献１記載の技術は、電話の発信者に音声広告を提供する技術であるため、電話の発信者が音声広告の聴取を煩わしいと感じて聴き流す虞があり、広告による販促効果を十分に得ることができないという課題がある。
【０００６】
本発明は、広告手法を多様化して販促効果を十分に確保することが可能な情報処理装置、情報処理方法及びプログラムを提供することを目的とする。
【課題を解決するための手段】
【０００７】
請求項１に記載の発明は、上記目的を達成するためになされたものであり、
情報処理装置において、
通信当事者の一方の位置情報を取得する取得手段と、
前記取得手段により取得された位置情報に基づいて広告を抽出する抽出手段と、
前記通信当事者の他方の情報端末を特定する特定手段と、
前記特定手段により特定された他方の情報端末に、前記抽出手段により抽出された広告を出力させる広告出力手段と、
を備えることを特徴とする。
【０００８】
請求項２に記載の発明は、請求項１に記載の情報処理装置において、
前記取得手段は、移動中の前記一方の位置情報を取得することを特徴とする。
【０００９】
請求項３に記載の発明は、請求項２に記載の情報処理装置において、
目的地までの経路探索を行い、探索結果に応じて誘導経路を案内するナビゲーション処理を実行する経路案内手段を備え、  
前記取得手段は、前記ナビゲーション処理により移動中の前記一方の位置情報を取得することを特徴とする。
【００１０】
請求項４に記載の発明は、請求項１〜３のいずれか一項に記載の情報処理装置において、
前記抽出手段は、前記取得手段により取得された位置情報に係る広告を抽出することを特徴とする。
【００１１】
請求項５に記載の発明は、請求項３に記載の情報処理装置において、
前記取得手段により取得された位置情報に基づいて、前記目的地までの移動予想時間を算出する算出手段を備え、
前記抽出手段は、前記算出手段により算出された移動予想時間に応じた飲食物宅配の広告を抽出することを特徴とする。
【００１２】
請求項６に記載の発明は、請求項１〜５のいずれか一項に記載の情報処理装置において、
前記取得手段は、更に、前記他方の位置情報を取得し、
前記取得手段により取得された前記一方及び前記他方の位置情報に基づいて特定される前記一方の位置及び前記他方の位置のいずれか一又は組み合わせと、前記広告出力手段により出力された広告と、の対応関係毎に、前記広告の評価値を集計する集計手段を備えることを特徴とする。
【００１３】
請求項７に記載の発明は、
情報処理装置の情報処理方法であって、
通信当事者の一方の位置情報を取得するステップと、
前記取得された位置情報に基づいて広告を抽出するステップと、
前記通信当事者の他方の情報端末を特定するステップと、
前記特定された他方の情報端末に、前記抽出された広告を出力させるステップと、
を含む情報処理方法である。
【００１４】
請求項８に記載の発明は、
コンピュータを、
通信当事者の一方の位置情報を取得する取得手段、
前記取得手段により取得された位置情報に基づいて広告を抽出する抽出手段、
前記通信当事者の他方の情報端末を特定する特定手段、
前記特定手段により特定された他方の情報端末に、前記抽出手段により抽出された広告を出力させる広告出力手段、
として機能させるためのプログラムである。
【発明の効果】
【００１５】
本発明によれば、広告手法を多様化して販促効果を十分に確保することができる。
【図面の簡単な説明】
【００１６】
【図１】本実施形態に係る情報処理システムを構成する各装置の主制御構成を示すブロック図である。
【図２】本実施形態に係る情報処理システムの動作の一例を示すフローチャートである。
【図３】位置情報と広告との対応関係を管理するテーブルの一例を示す図である。
【図４】広告表示画面の一例を示す図である。
【図５】広告表示画面の他の例を示す図である。
【図６】広告の評価値の集計結果を管理するテーブルの一例を示す図である。
【発明を実施するための形態】
【００１７】
以下、本発明の実施の形態について、図面を参照して詳細に説明する。
【００１８】
［１．構成の説明］
以下、図面を参照しながら、この発明の一実施形態について詳しく説明する。
［１−１．システム構成の説明］
まず、本実施形態に係る情報処理システム１の構成について説明する。
情報処理システム１は、図１に示すように、ナビゲーションサーバ（以下ナビサーバと称する）１０と、広告配信サーバ２０と、車両Ｃに搭載されたドライバ端末３０と、電話機４０と、電話機４０を介して車両Ｃのドライバ（通信当事者Ａ）と通話する相手ユーザ（通信当事者Ｂ）が利用する相手ユーザ端末（情報端末）５０と、を備えて構成されている。本実施形態では、ナビサーバ１０及び広告配信サーバ２０が協働して、本発明の情報処理装置として機能する。情報処理システム１を構成する各装置は、通信ネットワークＮに接続される。通信ネットワークＮは、具体的には、インターネットや電気通信事業者等の電話回線網や携帯電話通信網等である。
【００１９】
本実施形態では、車両Ｃのドライバは、ドライバ端末３０が有するハンズフリー通話の機能を利用して、ドライバ端末３０を介して相手ユーザと通話するものとする。また、相手ユーザは、電話機４０を介して車両Ｃのドライバと通話しつつ、相手ユーザ端末５０を利用するものとする。
【００２０】
ナビサーバ１０は、例えば、ＰＣ、ＷＳ（Work Station）等の情報機器であり、ドライバ端末３０から通信ネットワークＮを介して送信されてきたプローブ情報が集積されるようになっている。ナビサーバ１０は、１台で構成されるものとするが、これに限定されるものではなく、複数台の装置から構成されるものとしてもよい。
【００２１】
広告配信サーバ２０は、例えば、ＰＣ、ＷＳ等の情報機器であり、相手ユーザ端末５０に対し、通信ネットワークＮを介して広告を配信する。広告配信サーバ２０は、１台で構成されるものとするが、これに限定されるものではなく、複数台の装置から構成されるものとしてもよい。
【００２２】
ドライバ端末３０は、スマートフォンやタブレットなどのスマートデバイス、携帯電話機等の各ユーザが所持して使用する携帯型端末機器である。ドライバ端末３０には、目的地までの経路探索を行い、探索結果に応じて誘導経路を案内するカーナビの機能を実現するアプリケーション（以下、カーナビアプリと称する）がインストールされている。また、ドライバ端末３０は、通信ネットワークＮ（具体的には、ドライバ端末３０の通信回線や無線ＬＡＮ（Local Area Network）等）を用いて、ナビサーバ１０又は電話機４０等との間で相互に通信を行う。
【００２３】
電話機４０は、例えば、固定電話機であり、通信ネットワークＮを介してドライバ端末３０等と通信（通話）可能に構成されている。なお、電話機４０は、固定電話機に限られず、ＩＰ（Internet Protocol）電話、テレビ電話、携帯電話機、ＰＨＳ（Personal Handy-phone System）、スマートフォン、ヘッドセット等の他の通信装置としてもよい。
【００２４】
相手ユーザ端末５０は、例えば、相手ユーザが保有するＰＣ、タブレット等の情報機器であり、広告配信サーバ２０から通信ネットワークＮを介して送信されてきた広告を、表示部５３に表示させる。相手ユーザ端末５０は、通信ネットワークＮ（具体的には、相手ユーザ端末５０の通信回線や無線ＬＡＮ（Local Area Network）等）を用いて、広告配信サーバ２０等との間で相互に通信を行う。
【００２５】
［１−２．ナビサーバの構成の説明］
次に、ナビサーバ１０の構成について説明する。
ナビサーバ１０は、制御部１１と、操作部１２と、表示部１３と、記憶部１４と、通信部１５と、を備えて構成されている。
【００２６】
制御部１１は、ナビサーバ１０の動作を中央制御する。具体的には、制御部１１は、ＣＰＵ、ＲＯＭ、ＲＡＭなどを備えて構成され、ＲＡＭの作業領域に展開されたＲＯＭや記憶部１４に記憶されたプログラムデータとＣＰＵとの協働により、ナビサーバ１０の各部を統括制御する。
【００２７】
操作部１２は、例えば、文字入力キー、数字入力キー、その他各種機能に対応付けられたキーなどを有するキーボード、マウス等のポインティングデバイスなどを備え、ユーザからの操作入力を受け付けて、操作入力に応じた操作信号を制御部１１へと出力する。
表示部１３は、例えば、ＬＣＤ（Liquid Crystal Display）などのディスプレイを備え、制御部１１から出力された表示制御信号に基づいた画像を表示画面に表示する。
【００２８】
記憶部１４は、例えば、ＨＤＤ（Hard Disk Drive）、半導体メモリなどにより構成され、プログラムデータや各種設定データ等のデータを制御部１１から読み書き可能に記憶する。
また、記憶部１４は、地図データ、音声データ等を格納している。地図データには、例えば、広域をカバーした地図情報（複数縮尺に対応）、道路情報、施設、海、川等の各種シンボル情報等が記憶されている。また、音声データには、例えば、経路案内に必要な、単語や文節等からなるメッセージのデータ等が予め記憶されている。
【００２９】
通信部１５は、通信用ＩＣ（Integrated Circuit）及び通信コネクタなどを有する通信インターフェイスであり、制御部１１の制御の下、所定の通信プロトコルを用いて通信ネットワークＮを介したデータ通信を行う。
【００３０】
［１−３．広告配信サーバの構成の説明］
次に、広告配信サーバ２０の構成について説明する。
広告配信サーバ２０は、制御部２１と、操作部２２と、表示部２３と、記憶部２４と、通信部２５と、を備えて構成されている。
【００３１】
制御部２１は、広告配信サーバ２０の動作を中央制御する。具体的には、制御部２１は、ＣＰＵ、ＲＯＭ、ＲＡＭなどを備えて構成され、ＲＡＭの作業領域に展開されたＲＯＭや記憶部２４に記憶されたプログラムデータとＣＰＵとの協働により、広告配信サーバ２０の各部を統括制御する。
例えば、制御部２１は、ドライバ端末３０から送信された位置情報及び相手ユーザ情報に基づいて広告を抽出し、通信部２５を介して相手ユーザ端末５０に送信する。
【００３２】
操作部２２は、例えば、文字入力キー、数字入力キー、その他各種機能に対応付けられたキーなどを有するキーボード、マウス等のポインティングデバイスなどを備え、ユーザからの操作入力を受け付けて、操作入力に応じた操作信号を制御部２１へと出力する。
表示部２３は、例えば、ＬＣＤなどのディスプレイを備え、制御部２１から出力された表示制御信号に基づいた画像を表示画面に表示する。
【００３３】
記憶部２４は、例えば、ＨＤＤ、半導体メモリなどにより構成され、プログラムデータや各種設定データ等のデータを制御部２１から読み書き可能に記憶する。
また、記憶部２４は、ドライバ端末３０に配信する広告を記憶する。さらに、記憶部２４は、位置情報と広告との対応関係を管理するテーブルＴ１（図３参照）を記憶する。
【００３４】
通信部２５は、通信用ＩＣ及び通信コネクタなどを有する通信インターフェイスであり、制御部２１の制御の下、所定の通信プロトコルを用いて通信ネットワークＮを介したデータ通信を行う。
【００３５】
［１−４．ドライバ端末の構成の説明］
次に、ドライバ端末３０の構成について説明する。
ドライバ端末３０は、制御部３１と、操作部３２と、表示部３３と、音声出力部３４と、音声入力部３５と、記憶部３６と、現在位置検出部３７と、通信部３８と、を備えて構成されている。
【００３６】
制御部３１は、ドライバ端末３０の動作を中央制御する。具体的には、制御部３１は、ＣＰＵ、ＲＯＭ、ＲＡＭなどを備えて構成され、ＲＡＭの作業領域に展開されたＲＯＭや記憶部３６に記憶されたプログラムデータとＣＰＵとの協働により、ドライバ端末３０の各部を統括制御する。
【００３７】
例えば、制御部３１は、記憶部３６に記憶されたカーナビアプリを実行することにより、ナビサーバ１０と協働して、カーナビの機能を実現する。具体的には、制御部３１は、ドライバによりカーナビアプリが起動され目的地が設定されると、当該目的地情報及び現在位置検出部３７により検出された現在位置情報を、通信部３８を介してナビサーバ１０に送信する。次に、ナビサーバ１０の制御部１１は、ドライバ端末３０から送信された目的地情報及び現在位置情報に基づいて経路探索処理を行い、経路探索結果（誘導経路を案内するための情報を含む）を地図データ及び音声データとともに、通信部１５を介してドライバ端末３０に送信する。即ち、制御部１１は、目的地までの経路探索を行い、探索結果に応じて誘導経路を案内するナビゲーション処理を実行する本発明の経路案内手段として機能する。次に、ドライバ端末３０の制御部３１は、経路探索結果を、表示部３３に表示させるとともに、音声出力部３４から音声出力させる。これにより、カーナビの機能が実現される。
また、制御部３１は、実際に車両Ｃが走行した位置や車速などの走行情報に基づいてプローブ情報を随時生成する。そして、制御部３１は、生成したプローブ情報を、通信部３８を介して随時ナビサーバ１０に送信する。
【００３８】
操作部３２は、例えば、ホームボタン等からなるキー入力部と、表示部３３と一体的に形成されたタッチパネルと、を備え、ドライバからの操作入力を受け付けて、操作入力に応じた操作信号を制御部３１へと出力する。
表示部３３は、例えば、ＬＣＤ、有機ＥＬ（Electro Luminescence）素子を用いたＦＰＤ（Flat Panel Display）などのディスプレイを備え、制御部３１から出力された表示制御信号に基づいた画像を表示画面に表示する。例えば、表示部３３は、制御部３１から出力された表示用データ（地図データ等）に基づいて、各種情報（例えば、地図画面やアイコン、経路案内等のナビゲーション用の表示情報、自車の現在位置を示す自車マーク等）を表示する。
【００３９】
音声出力部３４は、Ｄ／Ａ変換器、アンプ、スピーカ等を備えて構成され、制御部３１から出力された音声データをアナログの音声信号に変換して音声出力する。
音声入力部３５は、マイク、Ａ／Ｄ変換器等を備えて構成され、マイクを介して音声入力を受け付け、アナログの音声信号をデジタルデータに変換して音声データを取得する。音声入力部３５は、ドライバが発した音声（例えば通話時の音声）が入力される。
【００４０】
記憶部３６は、例えば、ＨＤＤ、半導体メモリなどにより構成され、プログラムデータや各種設定データ等のデータを制御部３１から読み書き可能に記憶する。
【００４１】
現在位置検出部３７は、ＧＰＳモジュール、自律航法ユニット等を備えて構成されている。ＧＰＳモジュールは、ＧＰＳアンテナ等を備えて構成される。このＧＰＳアンテナは、地球低軌道に打ち上げられた複数のＧＰＳ衛星から送信されるＧＰＳ信号を受信する。ＧＰＳアンテナは、少なくとも３個のＧＰＳ衛星から送信されるＧＰＳ信号を受信し、受信したＧＰＳ信号に基づいて車両Ｃの絶対的な現在位置（緯度、経度）を検出して、制御部３１に出力する。
自律航法ユニットは、角度センサ、距離センサ等を備える。角度センサは、車の角速度（単位時間あたりの水平方向への回転角度）を検出して、移動方位の変化量を算出する。距離センサは、車輪の回転に応じて出力されるパルス信号を検出して、車両Ｃの移動量を算出する。自律航法ユニットは、これら角速度信号および車速パルス信号により、車両Ｃの相対的な位置変化を算出して制御部３１に出力する。
【００４２】
通信部３８は、アンテナや通信回路を備え、制御部３１による制御の下で外部機器との間の無線通信を行う。具体的には、通信部３８は、基地局で中継されることで、通信ネットワークＮを介してデータ通信を行う。
【００４３】
［１−５．相手ユーザ端末の構成の説明］
次に、相手ユーザ端末５０の構成について説明する。
相手ユーザ端末５０は、制御部５１と、操作部５２と、表示部５３と、記憶部５４と、通信部５５と、を備えて構成されている。
【００４４】
制御部５１は、相手ユーザ端末５０の動作を中央制御する。具体的には、制御部５１は、ＣＰＵ、ＲＯＭ、ＲＡＭなどを備えて構成され、ＲＡＭの作業領域に展開されたＲＯＭや記憶部５４に記憶されたプログラムデータとＣＰＵとの協働により、相手ユーザ端末５０の各部を統括制御する。
【００４５】
操作部５２は、例えば、文字入力キー、数字入力キー、その他各種機能に対応付けられたキーなどを有するキーボード、マウス等のポインティングデバイスなどを備え、ユーザからの操作入力を受け付けて、操作入力に応じた操作信号を制御部５１へと出力する。
表示部５３は、例えば、ＬＣＤなどのディスプレイを備え、制御部５１から出力された表示制御信号に基づいた画像を表示画面に表示する。例えば、表示部５３は、広告配信サーバ２０から送信された広告情報に基づく広告を表示するための広告表示画面Ｇ１（図４参照）を表示する。
【００４６】
記憶部５４は、例えば、ＨＤＤ、半導体メモリなどにより構成され、プログラムデータや各種設定データ等のデータを制御部５１から読み書き可能に記憶する。
【００４７】
通信部５５は、通信用ＩＣ及び通信コネクタなどを有する通信インターフェイスであり、制御部５１の制御の下、所定の通信プロトコルを用いて通信ネットワークＮを介したデータ通信を行う。
【００４８】
［２．動作の説明］
次に、本実施形態に係る情報処理システム１の具体的な動作について、図２〜図４を参照して説明する。具体的には、広告配信サーバ２０の制御部２１が、通話中のドライバ（通信当事者Ａ）のドライバ端末３０から送信された位置情報に基づいて、その通信相手である相手ユーザ（通信当事者Ｂ）が利用する相手ユーザ端末５０の表示部５３に、広告を出力（表示）させる処理を説明する。この処理は、ドライバ端末３０のドライバによりカーナビアプリが起動されたことを契機として開始される。
【００４９】
まず、ドライバ端末３０の制御部３１は、図２のフローチャートに示すように、通話が開始されたか否かを判定する（ステップＳ１０１）。例えば、制御部３１は、ドライバからの通話要求に相手ユーザが応答した場合又は相手ユーザからの通話要求にドライバが応答した場合等に、通話が開始されたと判定する。本実施形態では、ドライバ端末３０と電話機４０との間で通信が確立され、ドライバと相手ユーザとの間で通話が行われるものとする。
制御部３１は、通話が開始されたと判定した場合（ステップＳ１０１：ＹＥＳ）、次のステップＳ１０２へと移行する。
一方、制御部３１は、通話が開始されていないと判定した場合（ステップＳ１０１：ＮＯ）、通話が開始されるまでステップＳ１０１の処理を繰り返す。
【００５０】
次に、制御部３１は、自装置の位置情報と、相手ユーザ情報と、を取得する（ステップＳ１０２）。ここで、位置情報には、少なくとも現在位置検出部３７により検出された現在位置（緯度、経度）の情報が含まれる。また、相手ユーザ情報には、例えば、相手ユーザの電話機４０の電話番号等の情報が含まれる。
【００５１】
次に、制御部３１は、取得した位置情報及び相手ユーザ情報を、通信部３８より、ナビサーバ１０を介して又は直接広告配信サーバ２０に送信する（ステップＳ１０３）。
【００５２】
なお、ドライバ端末３０の制御部３１は、ドライバ端末３０にインストールされたカーナビアプリの起動の有無にかかわらず、カーナビアプリの一つの機能として、位置情報の取得処理及び取得した位置情報のナビサーバ１０への送信処理を実施している。これらの処理は、定期的に所定間隔（例えば５秒間隔）で行われるが、これに限定されるものではなく、状況に応じて任意の間隔に変更可能である。
【００５３】
広告配信サーバ２０の制御部２１は、ドライバ端末３０からナビサーバ１０を介して又は直接送信された（ドライバ端末３０の）位置情報及び相手ユーザ情報を取得する（ステップＳ１０４）。即ち、制御部２１は、本発明の取得手段として機能する。
【００５４】
次に、制御部２１は、ステップＳ１０４で取得した位置情報に基づいて、当該位置情報に係る広告を抽出する（ステップＳ１０５）。即ち、制御部２１は、本発明の抽出手段として機能する。ここで、位置情報に係る広告とは、位置情報が示す現在位置やこの先の誘導経路上の位置の近傍（所定距離内）に存在する店舗に関する広告のことである。
【００５５】
図３に、位置情報と広告との対応関係を管理するテーブルＴ１の一例を示す。テーブルＴ１は、予め作成され、記憶部２４等に記憶されている。テーブルＴ１は、位置情報と広告との対応関係を識別可能に管理するための番号である管理番号Ｔ１１、位置情報が示す地点を示す位置情報Ｔ１２、広告の名称を示す広告Ｔ１３のフィールドを有する。例えば、図３には、位置情報Ｔ１２「ａ地点」、広告Ｔ１３「広告１」を、管理番号Ｔ１１「１」と関連付けたレコード等を含むテーブルＴ１が生成された例が示されている。テーブルＴ１の１番目のレコードからは、ステップＳ１０４で取得した位置情報Ｔ１２が「ａ地点」である場合に、抽出される広告Ｔ１３が「広告１」である旨を読み取ることができる。
【００５６】
次に、制御部２１は、ステップＳ１０４で取得した相手ユーザ情報に基づいて、ドライバと通話する相手ユーザが利用する相手ユーザ端末５０を特定する（ステップＳ１０６）。即ち、制御部２１は、本発明の特定手段として機能する。なお、ステップＳ１０５及びステップＳ１０６の処理は、順不同であり、ステップＳ１０６の処理の後、ステップＳ１０５の処理を行うようにしてもよい。
【００５７】
ここで、相手ユーザ情報に基づいて相手ユーザ端末５０を特定する方法としては、例えば、相手ユーザ端末５０と当該相手ユーザ端末５０のユーザが利用する電話機４０の電話番号とを予め関連付けたテーブルを記憶するようにし、ステップＳ１０４で取得した相手ユーザ情報に含まれる電話機４０の電話番号をこのテーブルと照合することで、相手ユーザ端末５０を特定する方法が挙げられる。このテーブルは、例えば、ドライバ端末３０のユーザがカーナビアプリに会員登録した際などに、位置情報を用いたサービスの共有先（提供先）として相手ユーザ端末５０及び電話機４０の情報を登録すること等により、作成される。なお、このテーブルは、広告配信サーバ２０の記憶部２４に記憶させるようにしてもよいし、ナビサーバ１０の記憶部１４に記憶させるようにしてもよい。ナビサーバ１０の記憶部１４に記憶させる場合は、ステップＳ１０４でナビサーバ１０を介して相手ユーザ情報を取得する際にテーブルを併せて取得するようにしてもよいし、ステップＳ１０６においてナビサーバ１０に問い合わせるようにしてもよい。
なお、上記の方法は一例であり、相手ユーザ端末５０を特定することが可能であれば、いかなる方法を用いてもよい。
【００５８】
次に、制御部２１は、ステップＳ１０６で特定された相手ユーザ端末５０の表示部５３に、ステップＳ１０５で抽出された広告を出力（表示）させるための広告情報を生成する（ステップＳ１０７）。
次に、制御部２１は、ステップＳ１０７で生成された広告情報を、通信部２５を介して相手ユーザ端末５０に送信する（ステップＳ１０８）。
制御部２１は、上記のステップＳ１０７及びステップＳ１０８の処理を行うことで、本発明の広告出力手段として機能する。
【００５９】
相手ユーザ端末５０の制御部５１は、ステップＳ１０８で広告配信サーバ２０から送信された広告情報に基づく広告を、表示部５３に表示させる（ステップＳ１０９）。
【００６０】
図４に、広告配信サーバ２０から送信された広告情報に基づく広告を表示するための広告表示画面Ｇ１の一例を示す。広告表示画面Ｇ１は、図４に示すように、ドライバ端末３０が搭載された車両Ｃの現在位置を簡易的に追跡表示する追跡表示部Ｇ１１と、広告配信サーバ２０から送信された広告情報に基づく広告を表示する広告表示部Ｇ１２と、を備えて構成されている。図４では、東京都内で暮らすユーザ（通信当事者Ａ）が、車両Ｃにより実家のある大阪まで、実家で暮らす母親（通信当事者Ｂ）とハンズフリー通話をしながら帰省する場合を例示している。図４に示す例では、追跡表示部Ｇ１１に、車両Ｃの現在位置が名古屋近傍である様子が表示されている。また、広告表示部Ｇ１２に、名古屋市内で名物である「ういろう」等の和菓子を販売する「○○堂」の広告が表示されている。なお、図４では、広告表示画面Ｇ１に１つの広告を表示させる構成を提示しているが、これに限定されるものではなく、２つ以上の広告を表示させるようにしてもよい。
【００６１】
以上の処理により、通話中のドライバのドライバ端末３０から送信された位置情報に基づいて、その通信相手である相手ユーザが利用する相手ユーザ端末５０の表示部５３に、広告を表示させることができる。従って、広告の本来の提供先である本人（ドライバ）ではなく通信の相手方に広告を提供することができるので、ナビ音声（進行方向などの誘導案内や渋滞情報など運転関連情報）に集中しているドライバが音声広告を聞いたり広告を見たりする必要がなく、不快感を与えたり集中を阻害したりすることを抑制することができる。また、相手方は、ドライバの現在位置や誘導経路付近で購入可能な土産物その他の商品などの広告を見て、ドライバに対し通話ついでに購入を依頼することができるので、販促効果を期待することができる。
【００６２】
［３．効果］
以上のように、本実施形態に係る情報処理装置（ナビサーバ１０及び広告配信サーバ２０）は、通信当事者の一方（通信当事者Ａ）の位置情報を取得する取得手段（制御部２１）と、取得手段により取得された位置情報に基づいて広告を抽出する抽出手段（制御部２１）と、通信当事者の他方（通信当事者Ｂ）の情報端末（相手ユーザ端末５０）を特定する特定手段（制御部２１）と、特定手段により特定された他方の情報端末に、抽出手段により抽出された広告を出力させる広告出力手段（制御部２１）と、を備える。
従って、本実施形態に係る情報処理装置によれば、広告の本来の提供先である本人ではなく通信の相手方に広告を提供してその相手方から本人に間接的に広告内容を報知させることができるので、広告手法を多様化することが可能となり、本人を飽きさせることなく販促効果を十分に確保することができる。
【００６３】
また、本実施形態に係る情報処理装置によれば、取得手段は、移動中の一方の位置情報を取得する。
従って、本実施形態に係る情報処理装置によれば、広告の提供先である本人が移動中で広告を直接受け取りづらい状況であっても、通信の相手方から間接的に広告内容を報知させることができるので、状況の如何にかかわらず販促効果を期待することができる。
【００６４】
また、本実施形態に係る情報処理装置は、目的地までの経路探索を行い、探索結果に応じて誘導経路を案内するナビゲーション処理を実行する経路案内手段（制御部１１）を備える。また、取得手段は、ナビゲーション処理により移動中の一方の位置情報を取得する。
従って、本実施形態に係る情報処理装置によれば、ナビ音声に集中している本人が音声広告を聞いたり広告を見たりする必要がないので、不快感を与えたり集中を阻害したりすることを抑制することができる。また、広告の提供先である本人が移動中又は運転中で広告を直接見聞きすることが困難な状況であっても、通信の相手方から間接的に広告内容を報知させることができるので、状況の如何にかかわらず販促効果を期待することができる。
【００６５】
また、本実施形態に係る情報処理装置によれば、抽出手段は、取得手段により取得された位置情報に係る広告を抽出する。
従って、本実施形態に係る情報処理装置によれば、ドライバの現在位置や誘導経路付近で購入可能な土産物その他の商品などの広告を通信の相手方に提供することができるので、通信の相手方がドライバに対し通話ついでに商品の購入を依頼することが可能となり、販促効果を期待することができる。
【００６６】
以上、本発明に係る実施形態に基づいて具体的に説明したが、本発明は上記実施形態に限定されるものではなく、その要旨を逸脱しない範囲で変更可能である。
【００６７】
［４．変形例］
例えば、広告配信サーバ２０の制御部２１が、図２のステップＳ１０４で取得した位置情報に基づいて、目的地までの移動予想時間を算出するようにし、算出した移動予想時間に応じた飲食物宅配（例えば、ピザ、寿司、カレー等の宅配）の広告を抽出して、当該飲食物宅配の広告を相手ユーザ端末５０の表示部５３に表示させるようにしてもよい。即ち、制御部２１は、本発明の算出手段として機能する。この例は、目的地が相手ユーザ端末５０の所在地である場合により効果を発揮するが、相手ユーザ端末５０の所在地と無関係の場所であっても構わない。なお、目的地の情報は、位置情報と合わせて取得するようにしてもよいし、移動予想時間を算出するタイミングでナビサーバ１０に問い合わせるようにしてもよい。
【００６８】
図５に、移動予想時間に応じた飲食物宅配（ここでは、ピザの宅配）の広告を表示するための広告表示画面Ｇ２の一例を示す。広告表示画面Ｇ２は、図５に示すように、ドライバ端末３０が搭載された車両Ｃの現在位置を簡易的に追跡表示する追跡表示部Ｇ２１と、移動予想時間に応じた飲食物宅配の広告を表示する広告表示部Ｇ２２と、目的地までの移動予想時間を表示する移動予想時間表示部Ｇ２３と、を備えて構成されている。図４では、車両Ｃを運転するドライバ（通信当事者Ａ）が、車両Ｃにより自宅（目的地）まで、自宅で暮らす妻（通信当事者Ｂ）とハンズフリー通話をしながら帰宅する場合を例示している。図４に示す例では、追跡表示部Ｇ２１に、車両Ｃの現在位置が表示されている。また、移動予想時間表示部Ｇ２３に、目的地までの移動予想時間が「４０分」と表示されている。さらに、広告表示部Ｇ２２に、目的地までの移動予想時間に応じて、「４０分」で宅配可能なピザを販売する「△△ピザ」の広告が表示されている。なお、図５では、広告表示画面Ｇ２に１つの広告を表示させる構成を提示しているが、これに限定されるものではなく、２つ以上の広告を表示させるようにしてもよい。
【００６９】
以上のように、取得手段により取得された位置情報に基づいて、目的地までの移動予想時間を算出する算出手段（制御部２１）を備え、抽出手段が、算出手段により算出された移動予想時間に応じた飲食物宅配の広告を抽出することで、広告を提供された通信の相手方が容易に飲食物を宅配注文することができるので、ドライバを歓迎する飲食物を容易に調達することができる。
【００７０】
また、広告配信サーバ２０の制御部２１が、更に、相手ユーザの位置情報を取得するようにし、取得したドライバ端末３０及び相手ユーザの位置情報に基づいて特定されるドライバ端末３０の位置及び相手ユーザの位置のいずれか一又は組み合わせと、出力された広告と、の対応関係毎に、広告の評価値を集計するようにしてもよい。即ち、制御部２１は、本発明の集計手段として機能する。ここで、評価値とは、広告の効果を解析する指標となる値のことであり、例えば、クリック率、コンバージョン率などが挙げられる。なお、相手ユーザの位置情報の取得方法としては、例えば、予めテーブルＴ１に紐づけて記憶しておき必要に応じて都度読み出す方法や、相手ユーザ端末５０の起動に応じて自動的に取得する方法、広告表示画面を表示させるためのアプリケーションの起動に応じて自動的に取得する方法などが挙げられる。
ここで、ドライバ端末３０及び相手ユーザの位置情報に基づいて特定されるドライバ端末３０の「位置」及び相手ユーザの「位置」とは、例えば、地図上の１ブロック（１区画）に相当する領域である。なお、位置の設定は、上記例に限られるものではなく、地域や行政区画（都道府県、市区町村）、より細かな地点等、適宜任意に設定可能である。
【００７１】
図６に、広告の評価値の集計結果を管理するテーブルＴ２の一例を示す。テーブルＴ２は、作成された後、記憶部２４等に記憶される。テーブルＴ２は、広告の評価値の集計結果を識別可能に管理するための番号である管理番号Ｔ２１、ドライバ端末３０の位置情報に基づいて特定される位置を示すドライバ位置Ｔ２２、相手ユーザの位置情報に基づいて特定される位置を示す相手ユーザ位置Ｔ２３、出力された広告の名称を示す出力広告Ｔ２４、出力された広告のクリック率Ｔ２５、出力された広告のコンバージョン率Ｔ２６のフィールドを有する。例えば、図６には、ドライバ位置Ｔ２２「ｅ地点」、相手ユーザ位置Ｔ２３「ｈ地点」、出力広告Ｔ２４「広告５」、クリック率Ｔ２５「３０％」、コンバージョン率Ｔ２６「２０％」を、管理番号Ｔ２１「１」と関連付けたレコード等を含むテーブルＴ２が生成された例が示されている。テーブルＴ２の１番目のレコードからは、特定されたドライバ位置Ｔ２２が「ｅ地点」であり且つ相手ユーザ位置Ｔ２３が「ｈ地点」である場合に、出力された広告Ｔ２４「広告５」のクリック率Ｔ２５が「３０％」であり且つコンバージョン率Ｔ２６が「２０％」である旨を読み取ることができる。
【００７２】
なお、図６に示す例では、ドライバ端末３０の位置（ドライバ位置Ｔ２２）及び相手ユーザの位置（相手ユーザ位置Ｔ２３）の組み合わせと、出力された広告（出力広告Ｔ２４）と、の対応関係毎に、広告の評価値を集計するようにしているが、これに限定されるものではなく、例えば、ドライバ位置Ｔ２２及び相手ユーザ位置Ｔ２３のいずれか一と、出力広告Ｔ２４と、の対応関係毎に、広告の評価値を集計するようにしてもよい。
【００７３】
以上のように、取得手段が、更に、他方の位置情報を取得し、取得手段により取得された一方及び他方の位置情報に基づいて特定される一方の位置及び他方の位置のいずれか一又は組み合わせと、広告出力手段により出力された広告と、の対応関係毎に、広告の評価値を集計する集計手段（制御部２１）を備えることで、出力広告に対する評価を位置毎に解析することができるので、以後の広告配信をより適切なものとして販促効果の向上へと結び付けることができる。
【００７４】
また、図４に示す広告表示画面Ｇ１において、相手ユーザが広告表示部Ｇ１２に表示された広告をクリック操作した場合、広告対象の店舗の情報を表示させるとともに、当該店舗をドライバの経由地として設定することが可能なボタン（例えば、ここに寄ってもらうボタン）を併せて表示させるようにすることで、相手ユーザによる経路変更機能を備えるようにしてもよい。
この場合、ナビサーバ１０の制御部１１は、上記のボタンがクリック操作された旨を示す情報を、広告配信サーバ２０を介して又は相手ユーザ端末５０から直接取得し、広告対象の店舗を経由地として設定する。なお、相手ユーザの操作により経路を変更したとしても、通話によりその旨をドライバに伝えることができるので、ドライバにとって特に不都合は生じない。
以上のように、相手ユーザによる経路変更機能を備えることで、商品の購入を促進して販促効果の向上を見込めるとともに、ドライバにとっても経路変更の手間を取られることなく運転に集中することができる。
【００７５】
また、上記実施形態では、通信当事者Ａ及び通信当事者Ｂとの間で行われる通信の一例として、電話による通話を例示して説明しているが、これに限定されるものではない。即ち、通信当事者Ａ及び通信当事者Ｂとの間で通信が行われる構成であれば、いかなる構成であってもよく、例えば、車両Ｃのドライバ（通信当事者Ａ）の位置情報を相手ユーザ（通信当事者Ｂ）の相手ユーザ端末５０が共有する「位置情報の共有」も、本発明の通信に含めることができる。
【００７６】
また、上記実施形態では、カーナビ機能を利用するユーザ（ドライバ）の端末（ドライバ端末３０）の位置情報を取得して広告を抽出するようにしているが、これに限定されるものではない。例えば、徒歩のユーザに対し経路をナビゲーションする所謂「人ナビ」の機能を利用するユーザの端末の位置情報を取得して広告を抽出するようにしてもよい。
また、ナビゲーション機能以外のサービス（機能）を利用するユーザの端末の位置情報を取得して広告を抽出するようにしてもよい。即ち、本発明は、位置情報を取得可能な端末であれば、その通信相手に対し広告を提供することが可能である。
【００７７】
また、上記実施形態では、広告配信サーバ２０から送信された広告情報に基づく広告を、表示部５３に表示させるようにしているが、これに限定されるものではない。例えば、相手ユーザ端末５０に音声出力部を設けるようにし、広告を表示部５３に表示させる代わりに、音声出力部から音声広告を音声出力させるようにしてもよい。但し、相手ユーザ端末５０を利用する相手ユーザはドライバと通話中であるので、表示部５３に表示させる構成の方がより好ましい。
【００７８】
また、上記実施形態では、一方のユーザ（通信当事者Ａ）の位置情報を取得して、他方のユーザ（通信当事者Ｂ）の端末に広告を表示させるようにしているが、これに限定されるものではない。例えば、上記例において、更に、通信当事者Ｂの側を一方のユーザ、通信当事者Ａの側を他方のユーザと捉えることで、通信当事者Ａの位置情報を取得して、通信当事者Ｂの端末に広告を表示させると同時に、通信当事者Ｂの位置情報を取得して、通信当事者Ａの端末に広告を表示させるようにしてもよい。
【００７９】
また、上記実施形態では、ナビサーバ１０及び広告配信サーバ２０を別体の装置として例示して説明しているが、これに限定されるものではない。即ち、ナビサーバ１０及び広告配信サーバ２０を一体の装置として構成するようにしてもよい。
また、上記実施形態では、電話機４０及び相手ユーザ端末５０を別体の装置として例示して説明しているが、これに限定されるものではない。例えば、テレビ電話のように、相手ユーザが表示画面に表示された広告を確認しつつ通話が可能な構成であれば、電話機４０及び相手ユーザ端末５０を一体の装置として構成するようにしてもよい。
【００８０】
また、本出願に示す各態様は、方法、プログラムなどとしても把握することができる。方法やプログラムのカテゴリについては、装置のカテゴリで示した「手段」を、例えば、「工程」や「ステップ」のように適宜読み替えるものとする。また、処理やステップの順序は、本出願に直接明記のものに限定されず、順序を変更したり、一部の処理をまとめて若しくは随時一部分ずつ実行するよう変更したりすることができる。
【００８１】
その他、ナビサーバ、広告配信サーバ、ドライバ端末、電話機及び相手ユーザ端末を構成する各装置の細部構成及び各装置の細部動作に関しても、本発明の趣旨を逸脱することのない範囲で適宜変更可能である。
【符号の説明】
【００８２】
１  情報処理システム
１０  ナビサーバ（情報処理装置）
１１  制御部（経路案内手段）
１２  操作部
１３  表示部
１４  記憶部
１５  通信部
２０  広告配信サーバ（情報処理装置）
２１  制御部（取得手段、抽出手段、特定手段、広告出力手段、算出手段、集計手段）
２２  操作部
２３  表示部
２４  記憶部
２５  通信部
３０  ドライバ端末
３１  制御部
３２  操作部
３３  表示部
３４  音声出力部
３５  音声入力部
３６  記憶部
３７  現在位置検出部
３８  通信部
４０  電話機
５０  相手ユーザ端末（情報端末）
５１  制御部
５２  操作部
５３  表示部
５４  記憶部
５５  通信部
Ｃ  車両
Ｎ  通信ネットワーク
【図１】
2018045603.tif 000003
【図２】
2018045603.tif 000004
【図３】
2018045603.tif 000005
【図４】
2018045603.tif 000006
【図５】
2018045603.tif 000007
【図６】
2018045603.tif 000008